(57)【要約】【課題】使用する周波数帯域が異なる複数のリーダ／ライタを使用した場合であっても電子タグを張り替えることなく商品管理を行うことができる商品管理システムを提供する。【解決手段】商品又は商品ラック等に取り付ける電子タグ１０と、電子タグ１０に格納された情報の読み取り及び書き込みを行うリーダ／ライタ２０と、リーダ／ライタ２０との情報の遣り取りをネットワークにて行い商品の管理を行うデータベース部３０と、を備える商品管理システムにおいて、電子タグ１０に内設されているアンテナ１２は、少なくともＵＨＦ帯域と、他の周波数帯域と、二つの周波数帯域の電波と受発信することが可能な広帯域のアンテナとした。【選択図】図１
2011221830.tif 000002
【特許請求の範囲】
【請求項１】
商品又は商品ラック等に取り付ける電子タグと、前記電子タグに格納された情報の読み取り及び書き込みを行う複数のリーダ／ライタと、前記リーダ／ライタとの情報の遣り取りをネットワークにて行い商品の管理を行うデータベース部と、を備える商品管理システムにおいて、
前記電子タグに内設されているアンテナは、少なくともＵＨＦ帯域と、他の周波数帯域と、二つの周波数帯域の電波と受発信することが可能な広帯域のアンテナであることを特徴とする商品管理システム。
【請求項２】
前記他の周波数帯域が携帯電話の周波数帯域であって、複数の前記リーダ／ライタの内の少なくとも1台のリーダ/ライタに携帯電話を用いることを特徴とする請求項１に記載の商品管理システム。
【請求項３】
前記他の周波数帯域がＰＨＳの周波数帯域であって、複数の前記リーダ／ライタの内の少なくとも1台のリーダ/ライタにＰＨＳを用いることを特徴とする請求項１に記載の商品管理システム。
【請求項４】
前記他の周波数帯域が無線ＬＡＮの周波数帯域であって、複数の前記リーダ／ライタの内の少なくとも1台のリーダ/ライタにパーソナルコンピュータを用いることを特徴とする請求項１に記載の商品管理システム。
【請求項５】
商品又は商品ラック等に取り付ける電子タグと、前記電子タグに格納された情報の読み取り及び書き込みを行う複数のリーダ／ライタと、前記リーダ／ライタとの情報の遣り取りをネットワークにて行い商品の管理を行うデータベース部と、を備える商品管理システムにおいて、
前記電子タグに内設されているアンテナは、少なくともＵＨＦ帯域と、マイクロ波帯域と、他の周波数帯域と、三つの周波数帯域の電波と受発信することが可能な広帯域のアンテナであることを特徴とする商品管理システム。
【請求項６】
前記他の周波数帯域が携帯電話の周波数帯域であって、複数の前記リーダ／ライタの内の少なくとも1台のリーダ/ライタに携帯電話を用いることを特徴とする請求項５に記載の商品管理システム。
【請求項７】
前記他の周波数帯域がＰＨＳの周波数帯域であって、複数の前記リーダ／ライタの内の少なくとも1台のリーダ/ライタにＰＨＳを用いることを特徴とする請求項５に記載の商品管理システム。
【請求項８】
前記他の周波数帯域が無線ＬＡＮの周波数帯域であって、複数の前記リーダ／ライタの内の少なくとも1台のリーダ/ライタにパーソナルコンピュータを用いることを特徴とする請求項５に記載の商品管理システム。
【請求項９】
商品又は商品ラック等に取り付ける電子タグと、前記電子タグに格納された情報の読み取り及び書き込みを行う複数のリーダ／ライタと、前記リーダ／ライタとの情報の遣り取りをネットワークにて行い商品の管理を行うデータベース部と、を備える商品管理システムにおいて、
前記電子タグに内設されているアンテナは、導体の板状導電板と、前記板状導電板の開口部に離間して配設される導体の板状ロッドと、前記板状導電板と離間して配設され、前記板状ロッドの上端に接続している接続部より下部の外側輪郭が上方に向かうに従い外側方向に漸次拡大していく形状を有する導体の板状アンテナ素子と、を備えている広帯域のアンテナであることを特徴とする商品管理システム。
【請求項１０】
複数の前記リーダ／ライタの内の少なくとも1台のリーダ/ライタに携帯電話を用いることを特徴とする請求項９に記載の商品管理システム。
【請求項１１】
複数の前記リーダ／ライタの内の少なくとも1台のリーダ/ライタにＰＨＳを用いることを特徴とする請求項９に記載の商品管理システム。
【請求項１２】
複数の前記リーダ／ライタの内の少なくとも1台のリーダ/ライタにパーソナルコンピュータを用いることを特徴とする請求項９に記載の商品管理システム。
【発明の詳細な説明】
【技術分野】
【０００１】
本発明は、電子タグを用いて商品の管理を行う商品管理システムに関する。
【背景技術】
【０００２】
近年、下記特許文献１に示す通り、非接触にて情報の読み出しや書き込み等が行えるＩＣチップを備えた電子タグを用いて商品管理を行うことが行われている。電子タグは、ＩＣチップに導電性のアンテナが接続された構造であるので、ＩＣチップに対し非接触で情報の読み出しや書き込みができるようになっている。この電子タグと情報を遣り取りするために開放されている電波の周波数帯域は、従来からの１３５ＫＨｚ、１３．５６ＭＨｚ帯域の他に、法改正により８８９．５ＭＨｚ以上のＵＨＦ帯域も解放されていて、其々の周波数帯域で電波を受発信する電子タグに対応したリーダ／ライタを使用し、電子タグと情報の遣り取りを行っている。
【０００３】
従って、電子タグが受発信する周波数帯域と異なる周波数帯域で受発信するリーダ／ライタを用いた場合、電子タグの情報の読み出しや書き込みができないとの不具合点があった。即ち、現在、電子タグとして情報の遣り取りのために開放されている電波の周波数帯域は６種類以上あるので、其々の電波に対応した電子タグも６種類以上存在し、ある特定の周波数帯域の電波で使用する電子タグを付した商品に対し、他の周波数帯域で受発信するリーダ／ライタでは、電子タグと情報のやり取りができないので、他の周波数帯域で受発信するリーダ／ライタと情報の遣り取りができる電子タグを新たに商品に付けなければ商品管理ができないとの不具合があった。
【０００４】
更に、これらの電子タグとリーダ／ライタとの間で情報を遣り取りする場合、電波法との関係で、通信距離は最大でも１００メートル以内に制限されている。また、電源を内蔵していないパッシブタイプの電子タグでは、どの周波数帯域の電波で受発信する場合でも電波固有の通信距離が数メートルの範囲以内であるため、電子タグとリーダ／ライタとの間で情報の遣り取りを行うには、近距離で行う必要があり、例えば、事務所から別の建屋である倉庫内の商品に付されている電子タグと情報の遣り取りをする場合等の遠距離の場合では、情報の遣り取りを行うことができないとの不具合点があった。
【先行技術文献】
【特許文献】
【０００５】
【特許文献１】特開２００７−２５４０３１号公報
【発明の概要】
【発明が解決しようとする課題】
【０００６】
本発明は、上述の課題に鑑みなされたものであって、その目的とするところは、使用する周波数帯域が異なる複数のリーダ／ライタを使用した場合であっても電子タグを張り替えることなく同一の電子タグで商品管理を行うことができる商品管理システムを提供することである。
【０００７】
また、商品に付してある電子タグに対し遠距離からでも情報の遣り取りを行うことができ、電子タグを遠距離から操作して商品管理を行うことができる商品管理システムを提供することである。
【課題を解決するための手段】
【０００８】
上記目的を達成するため、本発明の請求項１による商品管理システムは、商品又は商品ラック等に取り付ける電子タグと、前記電子タグに格納された情報の読み取り及び書き込みを行う複数のリーダ／ライタと、前記リーダ／ライタとの情報の遣り取りをネットワークにて行い商品の管理を行うデータベース部と、を備える商品管理システムにおいて、前記電子タグに内設されているアンテナは、少なくともＵＨＦ帯域と、他の周波数帯域と、二つの周波数帯域の電波と受発信することが可能な広帯域のアンテナであることを特徴とするものである。
【０００９】
また、本発明の請求項２による商品管理システムは、請求項１に記載の商品管理システムであって、前記他の周波数帯域が携帯電話の周波数帯域であって、複数の前記リーダ／ライタの内の少なくとも1台のリーダ/ライタに携帯電話を用いることを特徴とするものである。
【００１０】
また、本発明の請求項３による商品管理システムは、請求項１に記載の商品管理システムであって、前記他の周波数帯域がＰＨＳの周波数帯域であって、複数の前記リーダ／ライタの内の少なくとも1台のリーダ/ライタにＰＨＳを用いることを特徴とするものである。
【００１１】
また、本発明の請求項４による商品管理システムは、請求項１に記載の商品管理システムであって、前記他の周波数帯域が無線ＬＡＮの周波数帯域であって、複数の前記リーダ／ライタの内の少なくとも1台のリーダ/ライタにパーソナルコンピュータを用いることを特徴とするものである。
【００１２】
また、本発明の請求項５による商品管理システムは、商品又は商品ラック等に取り付ける電子タグと、前記電子タグに格納された情報の読み取り及び書き込みを行う複数のリーダ／ライタと、前記リーダ／ライタとの情報の遣り取りをネットワークにて行い商品の管理を行うデータベース部と、を備える商品管理システムにおいて、前記電子タグに内設されているアンテナは、少なくともＵＨＦ帯域と、マイクロ波帯域と、他の周波数帯域と、三つの周波数帯域の電波と受発信することが可能な広帯域のアンテナであることを特徴とするものである。
【００１３】
また、本発明の請求項６による商品管理システムは、請求項５に記載の商品管理システムであって、前記他の周波数帯域が携帯電話の周波数帯域であって、複数の前記リーダ／ライタの内の少なくとも1台のリーダ/ライタに携帯電話を用いることを特徴とするものである。
【００１４】
また、本発明の請求項７による商品管理システムは、請求項５に記載の商品管理システムであって、前記他の周波数帯域がＰＨＳの周波数帯域であって、複数の前記リーダ／ライタの内の少なくとも1台のリーダ/ライタにＰＨＳを用いることを特徴とするものである。
【００１５】
また、本発明の請求項８による商品管理システムは、請求項５に記載の商品管理システムであって、前記他の周波数帯域が無線ＬＡＮの周波数帯域であって、複数の前記リーダ／ライタの内の少なくとも1台のリーダ/ライタにパーソナルコンピュータを用いることを特徴とするものである。
【００１６】
また、本発明の請求項９による商品管理システムは、商品又は商品ラック等に取り付ける電子タグと、前記電子タグに格納された情報の読み取り及び書き込みを行う複数のリーダ／ライタと、前記リーダ／ライタとの情報の遣り取りをネットワークにて行い商品の管理を行うデータベース部と、を備える商品管理システムにおいて、前記電子タグに内設されているアンテナは、導体の板状導電板と、前記板状導電板の開口部に離間して配設される導体の板状ロッドと、前記板状導電板と離間して配設され、前記板状ロッドの上端に接続している接続部より下部の外側輪郭が上方に向かうに従い外側方向に漸次拡大していく形状を有する導体の板状アンテナ素子と、を備えている広帯域のアンテナであることを特徴とするものである。
【００１７】
また、本発明の請求項１０による商品管理システムは、請求項９に記載の商品管理システムであって、複数の前記リーダ／ライタの内の少なくとも1台のリーダ/ライタに携帯電話を用いることを特徴とするものである。
【００１８】
また、本発明の請求項１１による商品管理システムは、請求項９に記載の商品管理システムであって、複数の前記リーダ／ライタの内の少なくとも1台のリーダ/ライタにＰＨＳを用いることを特徴とするものである。
【００１９】
また、本発明の請求項１２による商品管理システムは、請求項９に記載の商品管理システムであって、複数の前記リーダ／ライタの内の少なくとも1台のリーダ/ライタにパーソナルコンピュータを用いることを特徴とするものである。
【発明の効果】
【００２０】
上記構成を備えた本発明に係る商品管理システムは、電子タグに内設されているアンテナが広帯域のアンテナであるので、電子タグに情報を書き込むときのリーダ／ライタが使用する周波数と、情報を読み込むときのリーダ／ライタが使用する周波数が異なる場合でも、同一の電子タグに対し情報の読み込みと書き込みができ、リーダ／ライタが使用する周波数に合わせて、商品に付す電子タグを交換する手間を不要とすることができる。
【００２１】
更に、電子タグに使用されるアンテナが携帯電話又はＰＨＳ又は無線ＬＡＮの周波数帯の電波を受発信できるアンテナであるので、携帯電話又はＰＨＳ又はパーソナルコンピュータをリーダ／ライタの代替えとして使用することができ、遠距離からでも電子タグの情報の読み込みと書き込みをすることができる。
【図面の簡単な説明】
【００２２】
【図１】本発明に係る商品管理システムのブロック図である。
【図２】本発明に係る電子タグのブロック図である。
【図３】本発明に係る電子タグに内設されるアンテナの説明図である。
【図４】本発明に係るリーダ／ライタのブロック図である。
【発明を実施するための形態】
【００２３】
以下に図面を参照して、この発明の実施の形態を例示して説明する。
【００２４】
図１は、本発明に係る商品管理システムのブロック図である。本発明に係る商品管理システム１は、商品２に付された電子タグ１０と、リーダ／ライタ２０と、データベース部３０とを備えている。
【００２５】
電子タグ１０Ａ乃至１０Ｅは、商品２Ａ乃至２Ｅの其々に付されている。また、リーダ／ライタ２０は、特定の周波数帯域（例えば、９５０ＭＨｚ）の電波と受発信することができるリーダ／ライタ２０Ａと、特定の周波数帯域以外の他の周波数帯域（例えば、２．４５ＧＨｚ）の電波と受発信することができるリーダ／ライタ２０Ｂと、上記以外の周波数帯域（例えば、２ＧＨｚの携帯電話の周波数帯域）の電波と受発信することができるリーダ／ライタ２０Ｃと、３台が設置されている。
【００２６】
図２は、電子タグ１０のブロック図である。電子タグ１０は、ＩＣチップ１１とアンテナ１２とを備えている。
【００２７】
ＩＣチップ１１は、メモリー部１１１と、後述するアンテナ１２が受け付けた電波から電力を生成する電力部１１２と、電子タグ１０の作動を制御する制御部１１３とを備えている。ＩＣチップ１１は、電力部１１２からの電力を動力源として作動する。メモリー部１１１には、アンテナ１２を通して、後述するリーダ／ライタ２０からの情報が書き込まれ、また、メモリー部１１１に記憶されている情報が、アンテナ１２を通して、リーダ／ライタ２０に読み込まれる。３台のリーダ／ライタ（２０Ａ，２０Ｂ，２０Ｃ）に設定されている電波を受発信することができる周波数帯域はすべて異なるので、アンテナ１２は、３台のリーダ／ライタ（２０Ａ，２０Ｂ，２０Ｃ）が受発信する周波数帯域と同じ周波数帯域の電波を全て受発信することができる広帯域のアンテナが要求される。メモリー部１１１には、電子タグ１０としての固有のＩＤ番号と、商品に関する情報とが記憶されている。尚、商品に関する情報は、商品番号、製造月日、製造履歴等の商品に関する固有の情報であって、電子タグ１０を使用する者により商品情報は変更される。
【００２８】
広帯域の電波を受発信することができるアンテナ１２としては、本願出願人が先に出願した特願２００９−２１８２３９に記載されているアンテナを用いるのが好適であるが、それに限定されるものではなく、広帯域の周波数を受発信することができるアンテナであれば、どのような形状のアンテナであっても良い。図３に示すアンテナ１２は、広帯域の電波を受発信することができるアンテナの一例であって、板状アンテナ素子１３と、板状ロッド１４、板状導電板１５を備え、１３５ＫＨｚ乃至７ＧＨｚまでの広範囲に亘る周波数の電波を確実に受信することが可能な広帯域のアンテナである。
【００２９】
板状アンテナ素子１３は、板状の導体であって、銅、真鍮等の金属により形成されていて、後述する板状導電板１５とは電気的に絶縁されている。内部１３１も金属等の導体で形成されているが、内部１３１は中空で周辺部１３２が太い枠体で形成されている場合であっても良い。
【００３０】
板状アンテナ素子１３の形状は、下部１３３の外側輪郭１３４が後述する板状ロッド１４の上端と接続している接続部１３５より上方に向かうに従い外側方向に漸次拡大していく形状となっていて、本実施形態では円形となっている。尚、板状アンテナ素子１３の形状は、下部１３３の外側輪郭１３４が接続部１３５より上方に向かうに従い外側方向に漸次拡大していく形状であることが重要であって、上部１３６の外側輪郭１３７は、本実施例のように平坦な形状であっても、またそれ以外の楕円形状、三角形状等の如何なる形状であっても良い。
【００３１】
板状ロッド１４は、板状の導体であって、銅、真鍮等の金属により形成されていて、後述する板状導電板１５より上方に突設している突設部１４１と、板状導電板１５の開口部１５１に配設されている基端部１４２とを有し、突設部１４１の幅ｗ１が、基端部１４２の幅ｗ２より広くなっている。境界部１４３には、本実施形態では、段付が形成されていないが、段付が形成されていても良い。尚、突設部１４１が形成されている場合について説明したが、突設部が形成されていないで、基端部１４２のみの場合であっても良い。突設部１４１が形成されているが、突設部１４１の幅ｗ１が基端部１４２の幅ｗ２と同じであっても良い。
【００３２】
板状ロッド１４は、板状導電板１５とは電気的に絶縁されているが、突設部１４１の上端の接続部１３５で板状アンテナ素子１３と電気的に接続され、基端部１４２の下端で電力部１１２に接続されている。
【００３３】
板状導電板１５は、板状の導体であって、銅、真鍮等の金属により形成されていて、中央には、板状ロッド１４の基端部１４２を配設できるように開口部１５１が形成されている。板状導電板１５はグランド板となる。板状導電板１５は、板状アンテナ素子１３及び板状ロッド１４とは間隙を有して配設されているので、電気的に絶縁された状態となっている。
【００３４】
図４は、リーダ／ライタ２０のブロック図である。リーダ／ライタ２０は、制御部２１とアンテナ２２とを備えている。
【００３５】
制御部２１は、アンテナ２２を通して、電子タグ１０から読み込んだ情報を図示しないパーソナルコンピュータを経由し、インターネットを通してデータベース部３０に送信し、またデータベース部３０からの情報を上述とは逆のルートで電子タグ１０に書き込むことを制御する。
【００３６】
アンテナ２２は、電子タグ１０に内設されているアンテナ１２とは異なり、特定の周波数帯域の電波と受発信するアンテナである。上述の通り、リーダ／ライタ２０Ａに内設されているアンテナ２２Ａは、９５０ＭＨｚの電波で受発信し、リーダ／ライタ２０Ｂに内設されているアンテナ２２Ｂは、２．４５ＧＨｚの電波で受発信し、リーダ／ライタ２０Ｃに内設されているアンテナ２２Ｃは、２ＧＨｚの携帯電話の周波数帯域の電波で受発信することができるようになっている。
【００３７】
次に、作用について説明する。
【００３８】
初めに、電子タグ１０Ａ乃至１０Ｅの其々に固有のＩＤ番号を各メモリー部１１１Ａ乃至１１１Ｅに記憶させる。次に、例えば、商品が移動している場合であれば、発送段階では、データベース部３０からインターネットを通してリーダ／ライタ２０Ａに送信された情報は、９５０ＭＨｚの電波によって、ＩＤ番号を手掛かりに、リーダ／ライタ２０Ａのアンテナ２２Ａから各電子タグ１０Ａ乃至１０Ｅのアンテナ１２Ａ乃至１２Ｅを通してメモリー部１１１Ａ乃至１１１Ｅに記録される。
【００３９】
商品の受取段階では、各電子タグ１０Ａ乃至１０Ｅのメモリー部１１１Ａ乃至１１１Ｅに記録されている情報は、ＩＤ番号を手掛かりに、リーダ／ライタ２０Ｂで読み込まれることになる。この場合、リーダ／ライタ２０Ｂのアンテナ２２Ｂが受発信することができる電波の周波数帯域は、２．４５ＧＨｚであるが、各電子タグ１０Ａ乃至１０Ｅに内設されているアンテナ１２Ａ乃至１２Ｅは、広帯域の電波を受発信することができるアンテナであるので、２．４５ＧＨｚの電波によって、各メモリー部１１１Ａ乃至１１１Ｅに記録されている情報が、各電子タグ１０Ａ乃至１０Ｅのアンテナ１２Ａ乃至１２Ｅからリーダ／ライタ２０Ｂのアンテナ２２Ｂを通して読み込まれ、この情報がインターネットを通してデータベース部３０に送信される。
【００４０】
更に、移動途中の商品については、ＩＤ番号を手掛かりに、リーダ／ライタ２０Ｃで読み込まれることになる。リーダ／ライタ２０Ｃは、携帯電話が代替するので、遠距離からでも送受信することができるからである。携帯電話は、２ＧＨｚの周波数帯域の電波であるが、各電子タグ１０Ａ乃至１０Ｅに内設されているアンテナ１２Ａ乃至１２Ｅは、広帯域の電波を受発信することができるアンテナであるので、２ＧＨｚの携帯電話の周波数帯域の電波によって、各メモリー部１１１Ａ乃至１１１Ｅに記録されている情報が、各電子タグ１０Ａ乃至１０Ｅのアンテナ１２Ａ乃至１２Ｅから携帯電話が代替しているリーダ／ライタ２０Ｃのアンテナ２２Ｃを通して読み込まれ、この情報がインターネットを通してデータベース部３０に送信される。
【００４１】
但し、電子タグ１０が、電源を内蔵していないパッシブタイプの電子タグ１０である場合には、電波の届く範囲が短いために各電子タグ１０Ａ乃至１０Ｅのアンテナ１２Ａ乃至１２Ｅから発信された電波は、移動中の車両等に設置されている図示されていない室内アンテナを経由し、携帯電話であるリーダ／ライタ２０Ｃのアンテナ２２Ｃを通して読み込まれることになる。従って、電池内蔵のアクティブタイプの電子タグ１０であれば、通信距離が長いので、車両等に設置されている室内アンテナを経由することなく直接読み込まれることになる。
【００４２】
以上の通り、本発明に係る商品管理システム１は、広帯域のアンテナ１２を内設した電子タグ１０を備えているので、電子タグ１０に情報を書き込むときのリーダ／ライタ２０Ａが使用する電波の周波数帯域と、書き込まれた情報を読み込むときのリーダ／ライタ２０Ｂ及び２０Ｃが使用する電波の周波数帯域が其々異なる場合であっても、同一の電子タグに対し情報の遣り取りをすることが可能となる。
【００４３】
更に、電子タグ１０に使用されるアンテナ１２は、携帯電話又はＰＨＳ又は無線ＬＡＮの周波数帯の電波を受発信できるアンテナであるので、リーダ／ライタ２０Ｃの代替えとして携帯電話又はＰＨＳ又はパーソナルコンピュータを用いることが可能となる。従って、遠距離からでも電子タグ１０とリーダ／ライタ２０Ｃとの間で情報の遣り取りを行うことが可能となる。
【００４４】
尚、本実施形態では、リーダ／ライタ２０が３台の場合について説明したが、１台減らした２台であっても良い。この場合、削除するリーダ／ライタ２０としては、携帯電話を代替えとして用いたリーダ／ライタ２０Ｃでも、或いは他のリーダ／ライタ２０Ａ及び２０Ｂの内のいずれか１台であっても良い。
【００４５】
更に、リーダ／ライタ２０が３台の場合、リーダ／ライタ２０Ｃの代替えとして携帯電話ではなくＰＨＳ又はパーソナルコンピュータを用いて良いことは言うまでもない。また、３台のリーダ/ライタ２０をどのような機種で構成しても良く、例えば、リーダ／ライタ２０Ａは、ＵＨＦ帯域で使用できるリーダ／ライタ２０とし、リーダ／ライタ２０Ｂは、携帯電話が代替し、リーダ／ライタ２０Ｃは、パーソナルコンピュータが代替した場合であっても良く、また、全てのリーダ/ライタ２０Ａ乃至２０Ｃを携帯電話で代替えしても良い。
【００４６】
更に、リーダ／ライタ２０は、３台に限定されるものではなく、４台以上であっても良く、例えば、４台のリーダ／ライタ２０を使用する場合、２台のリーダ／ライタ２０Ａ及びＢと、１台は携帯電話をリーダ／ライタ２０Ｃの代替えとし、残りの１台はＰＨＳ又はパーソナルコンピュータをリーダ／ライタ２０Ｄの代替えとしても良い。
【符号の説明】
【００４７】
１      商品管理システム
２      商品
１０    電子タグ
１１    ＩＣチップ
１１１  メモリー部
１１２  電力部
１１３  制御部
１２    アンテナ
１３    板状アンテナ素子
１４    板状ロッド
１５    板状導電板
２０    リーダ／ライタ
２１    制御部
２２    アンテナ
３０    データベース部
【図１】
2011221830.tif 000003
【図２】
2011221830.tif 000004
【図３】
2011221830.tif 000005
【図４】
2011221830.tif 000006